(57)【要約】【課題】ガラス越しに撮影をする際、レンズを斜めに向けて撮影しても内側からの反射を防ぐことが可能で折り畳み及び伸縮可能なレンズフードを提供する。【解決手段】カメラなどの撮像装置もしくは前記撮像装置のレンズに取り付けて、フードの形状を三角柱形状とし、開口部２をガラスに密着させて撮像することにより、窓ガラスの内側が明るい時に窓ガラスに映った像が外側の被写体と共に撮像されることを防止する。また、前記開口部２以外の四面の内、三角形の２面を伸縮素材もしくは折り曲げ可能な部材とし、他の２面の接合部はヒンジもしくは折り曲げ可能な部材とすることで、折り畳むことが可能となる。【選択図】図１
2012042902.tif 000002
【特許請求の範囲】
【請求項１】
カメラなどの撮像装置もしくは前記撮像装置のレンズに取り付けて使用するレンズフードであって、撮像装置もしくは前記撮像装置のレンズを取り付けするための開口部１と前記開口部より大きい長四辺形もしくは長台形の開口部２とを備え、ガラス越しに斜めの角度にある被写体を撮像する際に、開口部１に撮像装置もしくは前記撮像装置のレンズを取り付け、開口部２をガラスに密着させて撮像することにより、窓ガラスの内側が明るい時に窓ガラスに映った像が外側の被写体と共に撮像されることを防止することができることを特徴とする三角柱形状を有するレンズフード。
【請求項２】
前記開口部２以外の四面の内、三角形の２面を伸縮素材もしくは折り曲げ可能な部材とし、他の２面の接合部はヒンジもしくは折り曲げ可能な部材とすることで、折り畳むことができることを特徴とする請求項１に記載のレンズフード。
【発明の詳細な説明】
【技術分野】
【０００１】  本発明は、飛行機、電車、自動車あるいは建物等の窓ガラス越しに撮像する際、カメラまたはカメラのレンズに取り付けて使用するレンズフードに関するものである。
【背景技術】
【０００２】  従来、窓ガラスの内側から窓ガラスの外側の被写体を撮像する際、窓ガラスの内側が明るいと、窓ガラスに映った像が外側の風景と共に撮像されてしまう問題があり、窓ガラスの外側の被写体が窓ガラス面に対して垂直方向に存在するものであれば、窓ガラス面に対しカメラもしくはカメラのレンズフードを垂直に密着させて撮像することで、その問題を回避することは可能であったが、窓ガラスの外側の被写体が、窓ガラス面とカメラの光軸の交点における小さい方の角度が０度超９０度未満の間にある場合には、カメラの撮像範囲に対して、暗幕を取り付けて窓の内側の像が外側の風景と共に撮像されないように撮像をしていた。
【先行技術文献】
【特許文献】
【０００３】
【特許文献１】特許公開平１１−６９２１１号
【発明の概要】
【発明が解決しようとする課題】
【０００４】  飛行機、電車、自動車あるいは建物等の窓ガラスでは、開閉できない固定の窓ガラスが多い。このような場合に、窓ガラスの内側から窓ガラスの外側の風景を撮像する際、窓ガラスの内側が明るいと、窓ガラスに映った像が外側の風景と共に撮像されてしまう問題があった。しかし、窓ガラスの外側の被写体が窓ガラス面に対して垂直方向に存在するものであれば、窓ガラス面に対しカメラもしくはカメラのレンズフードを垂直に密着させて撮像することで、その問題を回避することは可能ではあったが、窓ガラスの外側の被写体もしくは撮像対象角度が、ガラス面とカメラの光軸の交点における小さい方の角度が０度超９０度未満の範囲にある場合には、カメラの撮像範囲に対して、暗幕を取付けなくてはならず、その場合、撮像を目的とした外出の際には、暗幕の携行を余議なくされ、いざ撮像の際には、暗幕の着脱やその固定場所の問題などがあった。また、先行技術文献特許公開平１１−６９２１１号の技術における電子カメラのフード部は、カメラを窓ガラスに固定する固定具と一体で使用することを前提としたフードであり、フードに具備される保持部にカメラのレンズに具備した略球状部を挿入することで回転自在としているため、フード本体の角度を調整することはできない。また、先行技術文献特許公開平１１−６９２１１号の技術における電子カメラでは、装着サイズの違うカメラなどの撮像装置および前記撮像装置のレンズに対して汎用性が無いため、１つの装着サイズに対して、前記サイズに合致した開口部を有するフードである必要があり、装着サイズの違うカメラなどの撮像装置もしくは前記撮像装置のレンズには使用できないという汎用性の問題があった。さらに先行技術文献特許公開平１１−６９２１１号の技術における電子カメラのフード部は、固定形状のものであると考えられ、携帯性や収納性にも問題があった。【０００５】  本発明は上記のような問題を解決するためになされたもので、窓ガラスの外側の被写体が、ガラス面とカメラの光軸の交点における小さい方の角度が０度超９０度未満の間にある場合、もしくはその角度の範囲内において移動する被写体を追跡撮像する場合、窓ガラスの内側が明るくても、窓ガラスに映った像が外側の風景と共に撮像されることなく、さらに２種類以上のサイズの異なるカメラなどの撮像装置もしくは前記撮像装置のレンズに対しても、サイズの差を埋める部品として着脱可能なアタッチメントを付属部品として用意することで、装着サイズの異なるカメラなどの撮像装置もしくは前記撮像装置のレンズに対しても着脱容易で携行にも適した折り畳みを可能とするレンズフードを提供することを目的としている。
【課題を解決するための手段】
【０００６】  本発明においては、レンズフードは、撮像装置もしくは前記撮像装置のレンズを取り付けするための開口部１と前記開口部より大きい長四辺形もしくは長台形の開口部２とを備え、ガラス越しに斜めの角度にある被写体を撮像する際に、開口部１に撮像装置もしくは前記撮像装置のレンズを取り付け、開口部２をガラスに密着させて撮像することにより、窓ガラスの内側が明るい時に窓ガラスに映った像が外側の被写体と共に撮像されることを防止することができるように三角柱形状もしくはその類似形状を有する。【０００７】  本発明においては、レンズフードは、折り畳むことができるように、前記開口部２以外の四面の内、三角形の２面を伸縮素材もしくは折り曲げ可能な部材とし、他の２面の接合部はヒンジもしくは折り曲げ可能な部材を具備する。【０００８】  本発明においては、レンズフードは、窓ガラスの外側の被写体が、ガラス面とカメラの光軸の交点における小さい方の角度が０度超９０度未満の間にある場合、もしくはその角度の範囲内において移動する被写体を追跡撮像する場合、前記角度の範囲内で撮像方位を可動できるようにするために、前記開口部２以外の四面の内、三角形の２面を伸縮素材とすることが好ましい。【０００９】  本発明においては、レンズフードは、ガラス面とカメラの光軸の交点における角度が小さい方の角度が小さければ小さい程、例えば１０度から３０度である場合、フードによって画像の一部が隠れるケラレが発生しやすくなるが、これを防止するため、前記開口部２を長台形にすることが好ましい。【００１０】  本発明においては、レンズフードは、汎用の各種カメラなどの撮像装置もしくは前記撮像装置のレンズにも取り付けできるように、カメラなどの撮像装置もしくは前記撮像装置のレンズを取り付けする開口部１とのサイズの違いを埋める付属の部品としてアタッチメントを具備することが好ましい。【００１１】  本発明においては、レンズフードは、後方からの光を遮断あるいは減衰させるための黒色、濃色あるいは不透明とさせることが好ましい。
【発明の効果】
【００１２】  本発明によれば、窓ガラスの外側の被写体が、窓ガラス面とカメラの光軸の交点における小さい方の角度が１０度超９０度未満の間にある場合でも、暗幕を取り付けすることなく、三角柱形状のレンズフードに斜め方向からカメラのレンズを装着し、レンズフードの開口部２をガラスに密着させて使用することで、窓ガラスの内側からの光を、遮断あるいは減衰させ、内部が明るい場合でも、内部の影響を受けずに斜めの角度から外部を撮像することが可能となる。また、本発明によれば、前記開口部２以外の四面の内、三角形の２面を伸縮素材もしくは折り曲げ可能な部材とし、他の２面の接合部はヒンジもしくは折り曲げ可能な部材とすることで、収納や携行などの利便性がよくなる折り畳みを可能とする。さらに、本発明によれば、前記開口部２以外の四面の内、三角形の２面を伸縮素材で構成させることで、窓ガラスの外側の被写体が人間や動物など移動する被写体である場合、ガラス面とカメラの光軸の交点における小さい方の角度が仮に最大で４５度の設定で制作したレンズフードを例にした場合、４５度から９０度の範囲内であれば、移動するものを追跡しながら、斜めの角度から次第に垂直角度へ、もしくはその逆の垂直角度から次第に斜めへと角度を移動させながら撮像しても窓ガラスの内側からの光を、遮断あるいは減衰させ、室内や車内が明るい場合でも、内部の影響を受けずに撮像することも可能となる。さらに本発明によれば、レンズフードのレンズ取り付け枠の内側のサイズ以下のサイズであれば、付属のアタッチメントの厚さを調節することで、サイズや形状の違う汎用のレンズや撮像装置にも対応可能となる。
【図面の簡単な説明】
【００１３】
【図１】本発明の使用方法例を示す斜視図である。
【図２】本発明のレンズフードの背面斜視図である。
【図３】本発明のレンズフードの正面斜視図である。
【図４】本発明の三角面を伸縮素材にしたレンズフードの正面斜視図である。
【図５】本発明の折り畳みの状態を示した正面斜視図である。
【図６】本発明の伸縮素材を利用し、伸ばした状態の背面斜視図である。
【図７】本発明の開口部２を長台形状にしたもの斜視図である。
【発明を実施するための形態】
【００１４】  本発明においては、レンズフードを装着させた状態のカメラを窓ガラスの内側から手でしっかりと押さえるか三脚や吸盤などの固定具を使用して固定し、レンズフードの前記開口部２と窓ガラス面をしっかりと密着させた状態で使用する。撮像者は、窓外の風景を見ながら撮像したい時に、シャッターを押して窓外の風景を撮像するか、ビデオカメラの場合、撮像したい時間を撮像し続ける。また、公共の交通機関等の窓で使用する場合には、容易にかつガラスを汚さないようにするため、特許公開平１１−６９２１１号のような固定具を具備したレンズフードでガラス面に固定するのではなく、固定する三脚や吸盤などの機材とレンズフードを別々の個体としておくことが望ましく、レンズフード本体に窓ガラス面への固定をするための固定具は具備しない。また、窓内が明るく例えば照明があっても、本発明によれば、レンズフードの前記開口部２と窓ガラス面をしっかりと密着させた状態で使用することで、窓の内側の像が外側の風景と共に撮像されることはない。
【００１５】  また本発明においては、レンズフードを三角柱形状とすることで、窓ガラスの面とカメラ部の光軸との角度を１０度から９０度に設定することができるが、実際の撮像の時には、ガラス面とカメラ部の光軸との交点の角度は２０度から８０度が好ましく、さらに好ましくは、３０度から７０度である。このように窓ガラスの面に対してカメラ部の光軸を斜めにすることによって、電車内から外を撮像する場合には、斜め前方あるいは後方に向けて撮像することが出来、座席に着座した人間の視線の角度に近い撮像ができ、より臨場感あふれる撮像を可能として好ましい。また、飛行機内から地上の風景を撮像する場合には、斜め下方を向けて撮像することが出来て好ましい。また、ロープウェイやケーブルカーなど、斜め上方に向けて撮像出来て好ましい。自動車のフロントガラスの内側から外を撮像する場合には、カメラを水平方向に向けて撮像することが出来て好ましい。
【００１６】  本発明においては、レンズフードの前記開口部２以外の四面の内、三角形の２面を伸縮素材とすることで、開口部２を窓ガラス面に密着させたまま、カメラの光軸の角度を自由に変えることができるので、窓ガラスの外側の被写体が人間や動物など移動する被写体である場合、ガラス面とカメラの光軸の交点における小さい方の角度が、仮に最大で４５度の設定で制作したレンズフードを例にした場合、４５度から９０度の範囲内であれば、移動するものを追跡しながら、斜めの角度から次第に垂直角度へ、もしくはその逆の垂直角度から次第に斜めへと角度を移動させながら撮像することも可能となる。
【００１７】  また本発明においては、レンズフードの前記開口部２以外の四面の内、三角形の２面を伸縮素材もしくは折り曲げ可能な部材とし、他の２面の接合部はヒンジもしくは折り曲げ可能な部材を具備することで、折り畳みを可能にし、収納や携行などの利便性の向上を図ることができる。
【００１８】  また本発明において、ガラス面とカメラの光軸の交点における小さい方の角度が小さければ小さい程、例えば１０度から３０度などである場合、カメラの光軸線と窓ガラス面との交点までの光軸線の距離が長くなり、フードによって画像の一部が隠れるケラレが発生しやすくなるが、前記開口部２を長台形にすることで防止することができる。
【００１９】  また本発明においては、レンズフードの前記開口部１に取り付けるカメラなどの撮像装置もしくは前記撮像装置のレンズに、開口部１とのサイズの違いを埋める付属の部品を取り付けることで、開口部１の内側のサイズよりも小さいサイズのカメラなどの撮像装置もしくは前記撮像装置のレンズであれば、前記サイズの差をアタッチメントで埋めることが可能となり、サイズの異なる各種汎用のカメラなどの撮像装置もしくは前記撮像装置のレンズを取り付けすることが可能となる。
【実施例】  次に、本発明を実施例によりさらに詳細に説明するが、本発明はこれら実施例に限定されるものではない。【００２０】  図１は本発明の実施例１を示す斜視図である。このタイプは、撮影時に開口部１の寸法を変えることのできないタイプであり、窓ガラス面とカメラの光軸との交点の角度は一定となる。図１において、５は窓ガラス、６はカメラ、３はレンズフードである。図２は本発明の実施例１のレンズフード３の斜視図である。図２において、３ａと３ｂの接合部をヒンジ３ｄとし、２片の三角形状面も折り畳み可能なヒンジ３ｃを具備したものである。ヒンジ３ｃおよびヒンジ３ｄは、折り畳みが可能な部材であれば、ヒンジにこだわるものではない。また、３ｉのレンズ取り付け枠にレンズを挿入し固定する際、３ｊのネジでレンズの締め付けをし、レンズとフードを固定する。また、レンズの飛び出しを防止するために、レンズの取り付け枠３ｉの出口には、係止部３ｋを設ける。さらに、レンズのサイズ違いにも対応できるように、アタッチメント４をレンズに装着し、そのままレンズ取り付け枠３ｉに挿入することで、レンズのサイズの違う汎用のレンズを取り付けすることが可能となる。このアタッチメント４はアタッチメントの厚み４ａを変更することで、３ｉの内側のサイズ以下のものであれば各種サイズおよび形状のレンズに対応可能となる。【００２１】  図３は、図２のレンズフードをガラスに密着させて使用する開口部２からみた斜視図である。図４は、本発明の実施例２を示す斜視図であり、図３において、３ｅと３ｆおよび３ｇと３ｈのそれぞれの三角形状面を合わせて１枚の面とし、この２片の三角形状面に伸縮素材を使用したレンズフードの斜視図である。このタイプは、三角形状面が伸縮自在になるため、撮影時に開口部２の寸法を変えることができ、窓ガラス面とカメラの光軸の交点の角度を変えることができる。【００２２】  図５は、図１から図４に記載のレンズフードを、折り畳んだ状態の斜視図である。このように折り畳み可能になることで、携行や収納の利便性を向上させる。【００２３】  図６は、図４のレンズフードの伸縮特性を活かして、カメラの光軸角度を垂直角度にした状態のレンズフードの斜視図である。窓ガラスの外側の被写体が人間や動物など移動する被写体である場合、窓ガラス面とカメラの光軸の交点における小さい方の角度が仮に最大で４５度の設定で制作したレンズフードを例にした場合、４５度から９０度の範囲内であれば、移動するものを追跡しながら、斜めの角度から次第に垂直角度へ、もしくはその逆の垂直角度から次第に斜めへと角度を移動させながら撮像することも可能となる。【００２４】  図７は、窓ガラス面とカメラの光軸の交点における小さい方の角度が小さければ小さい程、仮に１０度から３０度などである場合に、カメラの光軸線と窓ガラス面との交点までの光軸線の距離が長くなり、フード面３ｂ、３ｅ、３ｇによるケラレが発生しやすくなるため、開口部２を長台形状に変更し、ケラレを防止する措置を講じたレンズフードの斜視図である。
【符号の説明】
【００２５】１    レンズフードのレンズ取り付け開口部１
２    レンズフードのガラス面に密着させる開口部２
３    レンズフード本体
３ａ  フードの面
３ｂ  フードの面
３ｃ  接合部のヒンジ
３ｄ  接合部のヒンジ
３ｅ  フードの三角形状面
３ｆ  フードの三角形状面
３ｇ  フードの三角形状面
３ｈ  フードの三角形状面
３ｉ  フードのレンズ取り付け枠
３ｊ  フードのレンズ取り付け枠の締め付け用ネジ
３ｋ  フードのレンズ取り付け枠のレンズの突き出し防止係止部
４    アタッチメント
４ａ  アタッチメントの厚み
４ｂ  アタッチメントの係止部
４ｃ  アタッチメントの切り欠き
５    ガラス面
６    カメラ
７ａ  伸縮素材で構成したフードの三角形状面
７ｂ  伸縮素材で構成したフードの三角形状面
８    フードの３ｂ面を長台形とした面
【図１】
2012042902.tif 000003
【図２】
2012042902.tif 000004
【図３】
2012042902.tif 000005
【図４】
2012042902.tif 000006
【図５】
2012042902.tif 000007
【図６】
2012042902.tif 000008
【図７】
2012042902.tif 000009